(57)【要約】【目的】  特殊な眼鏡を必要としない立体画像表示装置における逆視という状態を回避できる立体視用画像表示パネルを提供する。【構成】  モニタ２０Ａは液晶表示パネル２１とバリア板（分離手段）２２とから成る。液晶表示パネル２１には、ＲＲＧＧＢＢＲＲＧＧＢＢ・・・のごとく二つずつ同一色の画素が順繰りに水平方向に並んでおり、１２１２１２１２・・・のごとく、視点１画像と視点２画像が順繰りに表示される。バリア板２２は分離用開口部２２ａを有する。前記分離用開口部２２ａには赤色フィルタＲと緑色フィルタＧと青色フィルタＢが順繰りに形成されている。液晶表示パネル２１上の各色画素からの光線は、同一色の色フィルタを通ることで中央の観察領域へ導かれる。一方、前記中央の観察領域に隣接する領域では、液晶表示パネル２１上の各色画素からの光線は、異なる色の色フィルタを通ることで色吸収される。【選択図】        図１
2006235332.tif 000002
【特許請求の範囲】
【請求項１】
フルカラー画像を表示するために３色の画素が配列された画像表示パネルと、前記画像表示パネル上に表示された複数視点画像の光線方向を規定する分離手段と、を備えた立体視用画像表示パネルにおいて、前記分離手段は互いに異なる色光を透過又は出射する色領域を有し、前記画像表示パネル上の各色画素により形成される画像は、所定観察領域に隣接する領域では前記色領域と前記色画素とにより生じる色吸収によって遮られる一方、前記所定観察領域では色吸収されることなく視認されるように構成されたことを特徴とする立体視用画像表示パネル。
【請求項２】
請求項１に記載の立体視用画像表示パネルにおいて、同一色画素が視点数の数だけ隣り合うように前記画像表示パネルの画素配列が決定されており、前記同一色画素群の各画素に各視点の画像が表示されることを特徴とする立体視用画像表示パネル。
【請求項３】
請求項２に記載の立体視用画像表示パネルにおいて、前記画像表示パネルの前方に前記分離手段が配置されており、前記分離手段は複数の分離機能部を有しており、前記複数の分離機能部には赤色フィルタと緑色フィルタと青色フィルタが所定間隔で順繰りに設けられており、前記画像表示パネル上の各色画素からの光線は、同一色の色フィルタを通ることで前記所定位置の観察領域へ導かれる一方、前記隣接領域では、異なる色の色フィルタを通ることで色吸収されることを特徴とする立体視用画像表示パネル。
【請求項４】
請求項２に記載の立体視用画像表示パネルにおいて、前記画像表示パネルは透過型のパネルであり、前記画像表示パネルの後方に前記分離手段が配置されており、前記分離手段は赤色光出射部と緑色光出射部と青色光出射部を所定間隔で順繰りに有しており、前記色光出射部からの光線は、同一色の色画素を通ることで前記所定観察領域へ導かれる一方、前記隣接領域では、異なる色の色画素を通ることで色吸収されることを特徴とする立体視用画像表示パネル。
【請求項５】
請求項１に記載の立体視用画像表示パネルにおいて、３色の色画素が順繰りに並ぶように前記画像表示パネルの画素配列が決定されており、前記画素に二つの視点画像が順繰りに表示されることを特徴とする立体視用画像表示パネル。
【請求項６】
請求項５に記載の立体視用画像表示パネルにおいて、前記画像表示パネルの前方に前記分離手段が配置されており、前記分離手段は複数の分離機能部を有しており、前記複数の分離機能部にはイエロー色フィルタとマゼンダ色フィルタとシアン色フィルタが所定間隔で順繰りに設けられており、前記画像表示パネル上の各色画素からの光線は、同一色を含む色フィルタを通ることで前記所定観察領域へ導かれる一方、前記隣接領域では、同一色を含まない色フィルタを通ることで色吸収されることを特徴とする立体視用画像表示パネル。
【請求項７】
請求項５に記載の立体視用画像表示パネルにおいて、前記画像表示パネルは透過型のパネルであり、前記画像表示パネルの後方に前記分離手段が配置されており、前記分離手段はイエロー色光出射部とマゼンダ色光出射部とシアン色光出射部を所定間隔で順繰りに有しており、前記色光出射部からの光線は、同一色を含む色画素を通ることで前記所定観察領域へ導かれる一方、前記隣接領域では、同一色を含まない色画素を通ることで色吸収されることを特徴とする立体視用画像表示パネル。
【請求項８】
請求項１又は請求項７のいずれかに記載の立体視用画像表示パネルにおいて、前記所定観察領域を画像表示パネルからみて正面位置としたことを特徴とする立体視用画像表示パネル。
【請求項９】
請求項１乃至請求項８のいずれかに記載の立体視用画像表示パネルと、通信手段又は放送受信手段又は画像再生手段によって得られた画像を前記立体視用画像表示パネルに表示させる手段と、を備えたことを特徴とする立体画像表示装置。
【発明の詳細な説明】
【技術分野】
【０００１】
この発明は、特殊な眼鏡を必要としないで立体視が行える立体視用画像表示パネル及び立体画像表示装置に関する。
【背景技術】
【０００２】
従来より、特殊な眼鏡を必要としないで立体視が行える立体画像表示装置が提案されている（特許文献１、特許文献２参照）。図１３に２眼式（２視点式）の立体画像表示装置を示す。この立体画像表示装置において、画像表示パネル５１には、両眼視差を有する視点１画像（右眼画像）と視点２画像（左眼画像）とが短冊状に交互に表示される。なお、図１３中の「Ｒ」は赤色画素であり、「Ｇ」は緑色画素であり、「Ｂ」は青色画素であることを示している。また、図１３中の数字は視点番号を表している。画像表示パネル５１の後方にはバックライト５０が配置されており、前方にはパララックスバリア５２が配置されている。このパララックスバリア５２により、画像表示パネル５１から所定距離をおいた位置にて視点１画像と視点２画像とが眼間距離に対応した間隔で交互に導かれることになる。図示しない観察者は、その右眼に視点１画像を受け左眼に視点２画像を受ける領域（正視位置）に位置するとき、立体画像を認識することになる。
【特許文献１】特許第３３８８１５０号公報
【特許文献２】特開２００２−３１８３６９号公報
【発明の開示】
【発明が解決しようとする課題】
【０００３】
しかしながら、観察者が前記正視位置から左または右に眼間距離程度移動すると、左眼用画像と右眼用画像が入れ替わって見える逆視という状態が生じる。例えば、図１３中の視点１の箇所に観察者の左眼が位置し、前記視点１の右隣の視点２の箇所に観察者の右眼が位置すると逆視が生じる。このような逆視状態が生じると、観察者は頭がくらくらする等の不快感を覚える。
【０００４】
この発明は、上記の事情に鑑み、特殊な眼鏡を必要としない立体画像表示装置における逆視という状態を回避できる立体視用画像表示パネル及び立体画像表示装置を提供することを目的とする。
【課題を解決するための手段】
【０００５】
この発明の立体視用画像表示パネルは、上記の課題を解決するために、フルカラー画像を表示するために３色の画素が配列された画像表示パネルと、前記画像表示パネル上に表示された複数視点画像の光線方向を規定する分離手段と、を備えた立体視用画像表示パネルにおいて、前記分離手段は互いに異なる色光を透過又は出射する色領域を有し、前記画像表示パネル上の各色画素により形成される画像は、所定観察領域に隣接する領域では前記色領域と前記色画素とにより生じる色吸収によって遮られる一方、前記所定観察領域では色吸収されることなく視認されるように構成されたことを特徴とする（以下、この項において第１構成という）。
【０００６】
上記の構成であれば、前記所定観察領域では各視点画像を視認して立体視を実現することができ、前記隣接領域へは視点画像が遮断されることになり、観察者の頭部が前記隣接領域に移動しても逆視は防止されることになる。
【０００７】
前記第１構成の立体視用画像表示パネルにおいて、同一色画素が視点数の数だけ隣り合うように前記画像表示パネルの画素配列が決定されており、前記同一色画素群の各画素に各視点の画像が表示されるように構成されていてもよい（以下、この項において第２構成という）。
【０００８】
前記第２構成の立体視用画像表示パネルにおいて、前記画像表示パネルの前方に前記分離手段が配置されており、前記分離手段は複数の分離機能部を有しており、前記分離機能部には赤色フィルタと緑色フィルタと青色フィルタが所定間隔で順繰りに設けられており、前記画像表示パネル上の各色画素からの光線は、同一色の色フィルタを通ることで前記所定位置の観察領域へ導かれる一方、前記隣接領域では、異なる色の色フィルタを通ることで色吸収されるように構成されていてもよい。
【０００９】
また、第２構成の立体視用画像表示パネルにおいて、前記画像表示パネルは透過型のパネルであり、前記画像表示パネルの後方に前記分離手段が配置されており、前記分離手段は赤色光出射部と緑色光出射部と青色光出射部を所定間隔で順繰りに有しており、前記色光出射部からの光線は、同一色の色画素を通ることで前記所定観察領域へ導かれる一方、前記隣接領域では、異なる色の色画素を通ることで色吸収されように構成されていてもよい。
【００１０】
第１構成の立体視用画像表示パネルにおいて、３色の色画素が順繰りに並ぶように前記画像表示パネルの画素配列が決定されており、前記画素に二つの視点画像が順繰りに表示されるように構成されていてもよい（以下、この項において第３構成という）。
【００１１】
第３構成の立体視用画像表示パネルにおいて、前記画像表示パネルの前方に前記分離手段が配置されており、前記分離手段は複数の分離機能部を有しており、前記分離機能部にはイエロー色フィルタとマゼンダ色フィルタとシアン色フィルタが所定間隔で順繰りに設けられており、前記画像表示パネル上の各色画素からの光線は、同一色を含む色フィルタを通ることで前記所定観察領域へ導かれる一方、前記隣接領域では、同一色を含まない色フィルタを通ることで色吸収されるように構成されていてもよい。
【００１２】
また、第３構成の立体視用画像表示パネルにおいて、前記画像表示パネルは透過型のパネルであり、前記画像表示パネルの後方に前記分離手段が配置されており、前記分離手段はイエロー色光出射部とマゼンダ色光出射部とシアン色光出射部を所定間隔で順繰りに有しており、前記色光出射部からの光線は、同一色を含む色画素を通ることで前記所定観察領域へ導かれる一方、前記隣接領域では、同一色を含まない色画素を通ることで色吸収されるように構成されていてもよい。
【００１３】
これら構成の立体視用画像表示パネルにおいて、前記所定観察領域を画像表示パネルからみて正面位置としてもよい。
【００１４】
また、この発明の立体画像表示装置は、上述したいずれかの立体視用画像表示パネルと、通信手段又は放送受信手段又は画像再生手段によって得られた画像を前記立体視用画像表示パネルに表示させる手段と、を備えたことを特徴とする。
【発明の効果】
【００１５】
この発明によれば、特殊な眼鏡を必要としない立体画像表示装置における逆視という状態を回避できるという効果を奏する。
【発明を実施するための最良の形態】
【００１６】
以下、この発明の実施形態を図１乃至図１０に基づいて説明していく。なお、以下には通信環境を備えたパーソナルコンピュータを例示するが、携帯電話などの携帯機器についても同様に本願の立体画像表示装置として構成できる。
【００１７】
図９にパーソナルコンピュータのアーキテクチャの一例を示す。ＣＰＵ１は、システムコントロール機能を持つノースブリッジ２とＰＣＩバスやＩＳＡバスなどのインタフェース機能を持つサウスブリッジ３に接続される。ノースブリッジ２には、メモリ４や、ＡＧＰ（Ａｃｃｅｌｅｒａｔｅｄ  Ｇｒａｐｈｉｃｓ  Ｐｏｒｔ）を介してビデオカード５が接続される。そして、サウスブリッジ３には、ＵＳＢ（Ｕｎｉｖｅｒｓａｌ  Ｓｅｒｉａｌ  Ｂｕｓ）インタフェース６、ハードディスクドライブ（ＨＤＤ）７、及びＤＶＤ装置８等が接続される。
【００１８】
図１０に一般的なビデオカード５を示す。ＶＲＡＭ（ビデオメモリ）コントローラ５ｂはＡＧＰを介してＣＰＵ１からの命令で描画データのＶＲＡＭ５ａへの書き込み・読み込みの制御を行う。ＤＡＣ（Ｄ／Ａ変換器）５ｃはＶＲＡＭコントローラ５ｂからのディジタル画像データをアナログ画像信号に変換し、この画像信号をビデオバッファ５ｄを介してパソコン用のモニタ２０（２０Ａ，２０Ｂ，２０Ｃ，２０Ｄ，２０Ｅ，２０Ｆ）に供給する。パソコン用のモニタ２０が本願の立体視用画像表示パネルに相当する。パーソナルコンピュータは、ネット接続環境を備え、インターネット上のサーバなどとして構成される送信側装置からファイル（例えば、文書ファイル、メール、ＨＴＭＬファイル、ＸＭＬファイル、ＭＰＥＧファイルなど）を受信することができる。
【００１９】
図１はモニタ２０Ａと視点位置（観察位置）との関係を表している。モニタ２０Ａは、白色バックライト３０と液晶表示パネル２１とバリア板（分離手段）２２とから成る。図２は液晶表示パネル２１の色画素配列（パネル用カラーフィルタの色配列）を表した説明図である。この液晶表示パネル２１は２視点用として構成されており、視点数（この場合は２）の数だけ同一色画素が隣り合うように色画素配列されており、前記同一画素群の各画素に各視点の画像が表示される。具体的には、ＲＲＧＧＢＢＲＲＧＧＢＢ・・・のごとく二つずつ同一色の画素が順繰りに水平方向に並んでおり、１２１２１２１２・・・のごとく、視点１画像と視点２画像が順繰りに表示される。なお、この例において、視点１画像は右眼画像であり、視点２画像は左眼画像である。
【００２０】
バリア板（分離手段）２２は分離用開口部（分離機能部）２２ａを有する。前記分離用開口部２２ａには赤色フィルタＲと緑色フィルタＧと青色フィルタＢが所定間隔で順繰りに設けられている。液晶表示パネル２１上の各色画素からの色光線は、同一色の色フィルタを通ることで中央の観察領域（図１の視点１領域と視点２領域）へ導かれる。一方、前記中央の観察領域に隣接する領域（図１では、視点１領域の右隣に位置する視点２領域を例示している）では、液晶表示パネル２１上の各色画素からの色光線は、異なる色の色フィルタを通ることで色吸収される。
【００２１】
すなわち、画素２Ｒから出射された赤色光線のうち前記隣接の視点２領域に進む赤色光線は、緑色フィルタＧを通るために、この緑色フィルタＧにて吸収される。同様に、画素２Ｇから出射された緑色光線のうち前記隣接の視点２領域に進む緑色光線は、青色フィルタＢを通るために、この青色フィルタＢにて吸収される。同様に、画素２Ｂから出射された青色光線のうち前記隣接の視点２領域に進む青色光線は、赤色フィルタＲを通るために、この赤色フィルタＲにて吸収される。よって、観察者の左眼が視点１領域に位置し、右眼が前記隣接の視点２領域に位置したとしても、観察者の右眼には左眼画像は到達しないので、逆視が防止されることになる。
【００２２】
図３にパソコン用のモニタ２０Ｂを示す。モニタ２０Ｂは液晶表示パネル２１とバックライト（分離手段）２３とから成る。液晶表示パネル２１の色画素配列は図２に示したとおりである。バックライト２３には、赤色光を出射する縦長のスリット状色光源２３Ｒと、緑色光を出射する縦長のスリット状色光源２３Ｇと青色光を出射する縦長のスリット状色光源２３Ｂとが所定間隔で水平方向に順繰りに形成されている。前記スリット状色光源は、自発光素子（エレクトロルミネッセンス（ＥＬ）素子や発光ダイオード（ＬＥＤ）など）をスリット状に配置・形成することで得ることができる。また、スリット状色光源は、白色バックライトと、スリット開口に各色の色フィルタを備えた板部材とによって構成することもできる。
【００２３】
前記バックライト２３のスリット状色光源からの色光線は、同一色の色画素を通ることで中央の観察領域（図３の視点１領域と視点２領域）へ導かれる。一方、前記中央の観察領域に隣接する領域（図３では、視点１領域の右隣に位置する視点２領域を例示している）では、スリット状色光源からの色光線は、異なる色の色画素を通ることで色吸収される。すなわち、スリット状色光源２３Ｒから出射された赤色光線のうち前記隣接の視点２領域に進む赤色光線は、緑色画素（２Ｇ）を通るために、この緑色画素（２Ｇ）にて吸収される。同様に、スリット状色光源２３Ｇから出射された緑色光線のうち前記隣接の視点２領域に進む緑色光線は、青色画素（２Ｂ）を通るために、この青色画素（２Ｂ）にて吸収される。同様に、スリット状色光源２３Ｂから出射された青色光線のうち前記隣接の視点２領域に進む青色光線は、赤色画素（２Ｒ）を通るために、この赤色画素（２Ｒ）にて吸収される。よって、観察者の左眼が視点１領域に位置し、右眼が前記隣接の視点２領域に位置したとしても、観察者の右眼には左眼画像は到達しないので、逆視が防止されることになる。
【００２４】
図４にパソコン用のモニタ２０Ｃを示す。このモニタ２０Ｃは、白色バックライト３０と液晶表示パネル２４とバリア板（分離手段）２２とから成り、図１に示した２眼式構成を４眼式の構成にしたものに相当する。すなわち、液晶表示パネル２４は４視点用として構成されており、視点数（この場合は４）の数だけ同一色画素が隣り合うように色画素配列されており、前記同一画素群の各画素に各視点の画像が表示される。具体的には、ＲＲＲＲＧＧＧＧＢＢＢＢＲＲＲＲＧＧＧＧＢＢＢＢ・・・のごとく四つずつ同一色の画素が順繰りに所定間隔で水平方向に並んでおり、１２３４１２３４１２３４１２３４・・・のごとく、視点１画像と視点２画像と視点３画像と視点４画像が順繰りに表示される。
【００２５】
バリア板（分離手段）２２は図２に示したバリア板と同様の構成を有する（ただし、開口ピッチは異なる場合がある）。液晶表示パネル２４上の各色画素からの光線は、同一色の色フィルタを通ることで中央の観察領域（図４の視点１領域と視点２領域と視点３領域と視点４領域）へ導かれる。一方、前記中央の観察領域に隣接する領域では、液晶表示パネル２４上の各色画素からの光線は、異なる色の色フィルタを通ることで色吸収される。
【００２６】
図５にパソコン用のモニタ２０Ｄを示す。このモニタ２０Ｄは液晶表示パネル２４とバックライト（分離手段）２３とから成り、図３に示した２眼式構成を４眼式の構成にしたものに相当する。前記バックライト２３は図３に示したバックライト２３と同様の構成を有する（ただし、スリット状色光源のピッチは異なる場合がある）。前記バックライト２３のスリット状色光源からの色光線は、同一色の色画素を通ることで中央の観察領域（図５の視点１領域と視点２領域と視点３領域と視点４領域）へ導かれる。一方、前記中央の観察領域に隣接する領域では、スリット状色光源からの色光線は、異なる色の色画素を通ることで色吸収される。
【００２７】
図６はモニタ２０Ｅと視点位置（観察位置）との関係を表している。モニタ２０Ｅは、白色バックライト３０と液晶表示パネル２５とバリア板（分離手段）２６とから成る。図７は液晶表示パネル２５の色画素配列（パネル用カラーフィルタの色配列）を表した説明図である。この液晶表示パネル２５は２視点用として構成されており、ＲＧＢＲＧＢ・・・のごとく３つの色画素が順繰りに水平方向に並んでおり、１２１２１２１２・・・のごとく、視点１画像と視点２画像が順繰りに表示される。なお、この例において、視点１画像は右眼画像であり、視点２画像は左眼画像である。
【００２８】
バリア板（分離手段）２６は分離用開口部２６ａを有する。前記分離用開口部２６ａにはイエロー色フィルタＹとマゼンダ色フィルタＭとシアン色フィルタＣが順繰りに形成されている。液晶表示パネル２５の各色画素からの色光線は、同一色を含む色フィルタを通ることで中央の観察領域（図６の視点１領域と視点２領域）へ導かれる。一方、前記中央の観察領域に隣接する領域（図６では、視点１領域の右隣に位置する視点２領域を例示している）では、液晶表示パネル２５の各色画素からの色光線は、同一色を含まない色フィルタを通ることで色吸収される。
【００２９】
すなわち、画素２Ｒから出射された赤色光線のうち前記隣接の視点２領域に進む赤色光線は、シアン色フィルタＣを通るために、このシアン色フィルタＣにて吸収される。同様に、画素２Ｇから出射された緑色光線のうち前記隣接の視点２領域に進む緑色光線は、マゼンダ色フィルタＭを通るために、このマゼンダ色フィルタＭにて吸収される。同様に、画素２Ｂから出射された青色光線のうち前記隣接の視点２領域に進む青色光線は、イエロー色フィルタＹを通るために、このイエロー色フィルタＹにて吸収される。よって、観察者の左眼が視点１領域に位置し、右眼が前記隣接の視点２領域に位置したとしても、観察者の右眼には左眼画像は到達しないので、逆視が防止されることになる。
【００３０】
図８にパソコン用のモニタ２０Ｆを示す。モニタ２０Ｆは液晶表示パネル２５とバックライト（分離手段）２７とから成る。液晶表示パネル２５は図６に示した液晶表示パネル２５と同様の構成を有する（ただし、画素のピッチは異なる場合がある）。バックライト２７には、イエロー色光を出射するスリット状色光源２３Ｙと、マゼンダ色光を出射するスリット状色光源２３Ｍと、シアン色光を出射するスリット状色光源２３Ｃとが水平方向に順繰りに形成されている。前記スリット状色光源は、自発光素子（エレクトロルミネッセンス（ＥＬ）素子や発光ダイオード（ＬＥＤ）など）をスリット状に配置・形成することで得ることができる。また、スリット状色光源は、白色バックライトと、スリット開口に各色の色フィルタを備えた板部材とによって構成することもできる。
【００３１】
前記バックライト２７のスリット状色光源からの色光線は、同一色を含む色画素を通ることで中央の観察領域（図７の視点１領域と視点２領域）へ導かれる。一方、前記中央の観察領域に隣接する領域（図７では、視点１領域の右隣に位置する視点２領域を例示している）では、スリット状色光源からの色光線は、同一色を含まない色画素を通ることで色吸収される。すなわち、スリット状色光源２７Ｍから出射されたマゼンダ色光線のうち前記隣接の視点２領域に進むマゼンダ色光線は、緑色画素（２Ｇ）を通るために、この緑色画素（２Ｇ）にて吸収される。同様に、スリット状色光源２３Ｇから出射されたイエロー色光線のうち前記隣接の視点２領域に進むイエロー色光線は、青色画素（２Ｂ）を通るために、この青色画素（２Ｂ）にて吸収される。同様に、スリット状色光源２３Ｃから出射されたシアン色光線のうち前記隣接の視点２領域に進むシアン色光線は、赤色画素（２Ｒ）を通るために、この赤色画素（２Ｒ）にて吸収される。よって、観察者の左眼が視点１領域に位置し、右眼が前記隣接の視点２領域に位置したとしても、観察者の右眼には左眼画像は到達しないので、逆視が防止されることになる。
【００３２】
以上述べた実施例において、視差画像を縦ストライプ状に表示することに限定するものでない。例えば、図１１に（ａ）（ｂ）に示すように、行によって画素の並びを変化させてもよい（格子状、斜め配置等）。また、図１２に示すように、分離手段としてレンチキュラレンズ２２０を備え、このレンチキュラレンズ２２０の分離機能部（各レンズ部）に色フィルム（ＲＧＢフィルム又はＹＭＣフィルム）を貼付してもよい。レンチキュラレンズ２２０を用いる場合でも、視差画像の配置は、図２、図７、図１１に示す配置等を採用できる。
【００３３】
また、上記の例では、透過型の液晶表示パネルを備えたモニタ２０を示したが、画像表示パネルが透過型である必要がない場合には、液晶表示パネルに替えて有機ＥＬ表示パネルやプラズマディスプレイなどを用いてもよい。また、立体視用画像表示パネルとしてパソコン用のモニタ２０を示したが、これに限るものではなく、携帯電話の表示パネル、カーナビゲーションシステムの表示パネル、テレビジョンセットの表示パネル、ディジタルカメラの表示パネルなどしても用いることができる。
【図面の簡単な説明】
【００３４】
【図１】この発明の実施形態の立体視用画像表示パネルを示した説明図である。
【図２】図１の液晶表示パネルの色画素配列を示した説明図である。
【図３】この発明の他の実施形態の立体視用画像表示パネルを示した説明図である。
【図４】この発明の他の実施形態の立体視用画像表示パネルを示した説明図である。
【図５】この発明の他の実施形態の立体視用画像表示パネルを示した説明図である。
【図６】この発明の他の実施形態の立体視用画像表示パネルを示した説明図である。
【図７】図６の液晶表示パネルの色画素配列を示した説明図である。
【図８】この発明の他の実施形態の立体視用画像表示パネルを示した説明図である。
【図９】パーソナルコンピュータのアーキテクチャの一例を示したブロック図である。
【図１０】一般的なビデオカードを示した説明図である。
【図１１】同図（ａ）（ｂ）はそれぞれ色画素配列の他の例を示した説明図である。
【図１２】分離手段としてレンチキュラレンズを用いた構成を示した説明図である。
【図１３】従来の立体視用画像表示パネルを示した説明図である。
【符号の説明】
【００３５】
１    ＣＰＵ
４    メモリ
５    ビデオカード
５ａ  ＶＲＡＭ
５ｂ  ＶＲＡＭコントローラ
２０（２０Ａ，２０Ｂ，２０Ｃ，２０Ｄ，２０Ｅ，２０Ｆ）パソコンモニタ
２１  液晶表示パネル
２２  バリア板
【図１】
2006235332.tif 000003
【図２】
2006235332.tif 000004
【図３】
2006235332.tif 000005
【図４】
2006235332.tif 000006
【図５】
2006235332.tif 000007
【図６】
2006235332.tif 000008
【図７】
2006235332.tif 000009
【図８】
2006235332.tif 000010
【図９】
2006235332.tif 000011
【図１０】
2006235332.tif 000012
【図１１】
2006235332.tif 000013
【図１２】
2006235332.tif 000014
【図１３】
2006235332.tif 000015